【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
第１の実行条件が成立した後、第１の開始条件が成立したことに基づいて、各々が識別可能な第１の識別情報による第１の変動表示を開始し表示結果を導出表示する第１変動表示手段と、第２の実行条件が成立した後、第２の開始条件が成立したことに基づいて、各々が識別可能な第２の識別情報による第２の変動表示を開始し表示結果を導出表示する第２変動表示手段とを有し、前記第１変動表示手段または前記第２変動表示手段に予め定められた特定表示結果が導出表示されたときに遊技者にとって有利な特定遊技状態に制御される遊技機であって、
前記第１の変動表示と前記第２の変動表示とのいずれも実行されていないことを条件に、前記第１の開始条件が成立したときに、前記第１変動表示手段による第１の変動表示を開始させる第１変動表示開始手段と、
前記第１の変動表示と前記第２の変動表示とのいずれも実行されていないことを条件に、前記第２の開始条件が成立したときに、前記第２変動表示手段による第２の変動表示を開始させる第２変動表示開始手段と、
前記第１変動表示手段および前記第２変動表示手段のそれぞれで実行される変動表示について、前記第１変動表示手段および前記第２変動表示手段のうち、前記開始条件が成立した変動表示手段における変動表示の変動表示開始時から変動表示終了時までの変動表示時間を含む変動パターンを選択するための変動パターン選択処理を共通の処理ルーチンにより実行し、前記第１変動表示手段および前記第２変動表示手段のうち、変動表示の開始条件が成立した変動表示手段における変動表示の変動表示時間を含む変動パターンを複数の変動パターンから選択する変動パターン選択手段と、
該変動パターン選択手段により選択された変動パターンに基づいて、前記第１変動表示手段および前記第２変動表示手段のうち前記開始条件が成立した変動表示手段において実行される変動表示の変動表示時間を示すデータを前記第１変動表示手段および前記第２変動表示手段のいずれの開始条件が成立したときでも共通の記憶領域において記憶する変動表示時間記憶手段とを含むことを特徴とする、遊技機。
【請求項２】
前記第１の実行条件の成立数を計数する第１計数手段と、
前記第２の実行条件の成立数を計数する第２計数手段とをさらに含み、
前記変動パターン選択手段は、前記第１計数手段によって計数された成立数と前記第２計数手段によって計数された成立数との合計数が所定数以上のときに、当該合計数が所定数未満であるときに比べて変動表示時間が短い変動パターンを選択することを特徴とする、請求項１に記載の遊技機。
【請求項３】
前記第１変動表示手段および前記第２変動表示手段のそれぞれで実行される変動表示について、前記第１変動表示手段および前記第２変動表示手段のうち、前記開始条件が成立した変動表示手段における変動表示の表示結果を決定するための表示結果決定処理を共通の処理ルーチンにより実行し、前記第１変動表示手段および前記第２変動表示手段のうち、変動表示の開始条件が成立した変動表示手段における前記識別情報の表示結果を当該表示結果の導出表示前に決定する表示結果決定処理手段をさらに含むこと特徴とする、請求項１または２に記載の遊技機。
【請求項４】
前記第１の実行条件の成立数を計数する第１計数手段と、
前記第２の実行条件の成立数を計数する第２計数手段と、
遊技の進行を制御するとともに、前記第１変動表示手段および前記第２変動表示手段における変動表示を制御する遊技制御手段と、
前記遊技機に設けられている演出用部品の制御を行なう演出制御手段とをさらに含み、
前記演出用部品は、前記第１計数手段によって計数された成立数を第１の態様で表示し、前記第２計数手段によって計数された成立数を第２の態様で表示する実行条件成立数表示手段を含み、
前記遊技制御手段は、
前記第１計数手段によって計数される成立数または前記第２計数手段によって計数される成立数が増加したことに基づいて、いずれの成立数が増加したのかを示す成立数識別コマンドを送信するともに、前記第１計数手段によって計数された成立数と前記第２計数手段によって計数された成立数との合計数を特定可能な合計数特定コマンドを送信する成立数増加時コマンド送信手段と、
前記遊技機へ供給される電力が遮断された後、当該電力の供給が復旧されたときに、前記合計数特定コマンドを送信する電力供給復旧時コマンド送信手段とをさらに含み、
前記演出制御手段は、
前記成立数増加時コマンド送信手段により送信された前記成立数識別コマンドおよび前記合計数特定コマンドを受信したときには、前記実行条件成立数表示手段において、前記合計数を認識可能に、前記第１計数手段によって計数された成立数を前記第１の態様で表示させ、前記第２計数手段によって計数された成立数を前記第２の態様で表示させる制御を行ない、
前記電力供給復旧時コマンド送信手段により送信された前記合計数特定コマンドを受信したときには、前記実行条件成立数表示手段において、前記第１の態様および前記第２の態様とは異なる特別態様で、前記合計数のみを認識可能に表示させる制御を行なうことを特徴とする、請求項１から３のいずれかに記載の遊技機。
【請求項５】
前記演出用部品は、前記第１変動表示手段における第１の変動表示または前記第２変動表示手段における第２の変動表示に対応する演出表示を行なう演出表示装置をさらに含み、
前記遊技制御手段は、前記変動表示を開始するときに、前記第１変動表示手段と前記第２変動表示手段とのうちいずれで識別情報の変動表示を開始するのかを特定可能な変動表示手段特定コマンドと、前記変動パターン選択手段により選択された前記変動パターンを特定可能な変動パターンコマンドとを送信する変動開始時コマンド送信手段をさらに含み、
前記演出制御手段は、前記変動開始時コマンド送信手段により送信された前記変動表示手段特定コマンドに基づいて、前記演出表示装置において、前記変動表示手段特定コマンドで特定される前記第１変動表示手段または前記第２変動表示手段に対応した演出表示を実行させる演出表示制御手段をさらに含み、
前記演出制御手段は、前記成立数増加時コマンド送信手段により送信された前記成立数識別コマンドを受信せずに前記合計数特定コマンドを受信したときに、前記第１の態様および前記第２の態様とは異なる所定の態様で、前記実行条件成立数表示手段において前記成立数を表示させる制御を行なうことを特徴とする、請求項４に記載の遊技機。
【請求項６】
前記遊技機は、遊技領域に遊技球を打込むことにより遊技が行なわれ、
前記遊技領域に設けられ、遊技球を受入れやすい遊技者にとって有利な第１の状態と該第１の状態に比べて遊技球を受入れにくいまたは受入れない遊技者にとって不利な第２の状態とに変化可能であり、前記特定遊技状態に制御されたときに当該第１の状態に制御される可変入賞球装置と、
該可変入賞球装置への遊技球の入賞を検出する入賞検出手段と、
遊技の進行を制御するとともに、前記第１変動表示手段および前記第２変動表示手段における変動表示を制御する遊技制御手段と、
前記遊技機に設けられている演出用部品の制御を行なう演出制御手段とをさらに含み、
前記遊技制御手段は、
前記特定遊技状態に制御されていないときにおいて、前記入賞検出手段により前記可変入賞球装置への遊技球の入賞が検出されたときに、前記可変入賞球装置への入賞に関する異常が生じたと判定する異常判定手段と、
該異常判定手段により前記異常が生じたと判定されたときに、異常が生じた旨を示す異常コマンドを送信する異常時コマンド送信手段とを含み、
前記演出制御手段は、前記異常時コマンド送信手段により送信された前記異常コマンドに基づいて、前記異常が生じた旨を報知する異常報知手段を含むことを特徴とする、請求項１から５のいずれかに記載の遊技機。
【請求項７】
賞球を払出す賞球払出手段と、
該賞球払出手段を制御して賞球を払出させる制御を行なう払出制御手段とをさらに含み、
前記遊技制御手段は、前記可変入賞球装置への遊技球の入賞があったときに、当該入賞に応じた賞球の払出しを指示する賞球コマンドを送信する賞球コマンド送信手段をさらに含み、
払出制御手段は、前記賞球コマンド送信手段により送信された賞球コマンドに基づいて、前記賞球払出手段を制御して賞球を払出させる制御を行ない、
前記遊技制御手段は、前記異常判定手段により前記異常が生じたと判定されたときに、前記賞球コマンドの送信を禁止する送信禁止手段とをさらに含むことを特徴とする、請求項６に記載の遊技機。
【手続補正２】
【補正対象書類名】明細書
【補正対象項目名】０００６
【補正方法】変更
【補正の内容】
【０００６】
（１）  第１の実行条件（第１始動入賞口１３への遊技球の入賞）が成立した後、第１の開始条件（第１特別図柄の変動開始順番になったこと）が成立したことに基づいて、各々が識別可能な第１の識別情報による第１の変動表示を開始し表示結果を導出表示する第１変動表示手段（特別図柄表示器８ａ）と、第２の実行条件（第２始動入賞口１４への遊技球の入賞）が成立した後、第２の開始条件（第２特別図柄の変動開始順番になったこと）が成立したことに基づいて、各々が識別可能な第２の識別情報による第２の変動表示を開始し表示結果を導出表示する第２変動表示手段（第２特別図柄表示器８ｂ）とを有し、前記第１変動表示手段または前記第２変動表示手段に予め定められた特定表示結果（大当り表示結果）が導出表示されたときに遊技者にとって有利な特定遊技状態（大当り遊技状態）に制御される遊技機（パチンコ遊技機１）であって、
前記第１の変動表示と前記第２の変動表示とのいずれも実行されていないことを条件に、前記第１の開始条件が成立したとき（図２１のＳ５２でＹ）に、前記第１変動表示手段による第１の変動表示を開始させる第１変動表示開始手段（遊技制御用マイクロコンピュータ５６０、図２３のＳ７７）と、
前記第１の変動表示と前記第２の変動表示とのいずれも実行されていないことを条件に、前記第２の開始条件が成立したとき（図２１のＳ５２でＮ）に、前記第２変動表示手段による第２の変動表示を開始させる第２変動表示開始手段（遊技制御用マイクロコンピュータ５６０、図２３のＳ７７）と、
前記第１変動表示手段および前記第２変動表示手段のそれぞれで実行される変動表示について、前記第１変動表示手段および前記第２変動表示手段のうち、前記開始条件が成立した変動表示手段における変動表示の変動表示開始時から変動表示終了時までの変動表示時間を含む変動パターンを選択するための変動パターン選択処理を共通の処理ルーチン（Ｓ７１〜Ｓ７４）により実行し、前記第１変動表示手段および前記第２変動表示手段のうち、変動表示の開始条件が成立した変動表示手段における変動表示の変動表示時間を含む変動パターンを複数の変動パターン（図８の変動パターン）から選択する変動パターン選択手段（遊技制御用マイクロコンピュータ５６０、図２３のＳ７１〜Ｓ７４）と、
該変動パターン選択手段により選択された変動パターンに基づいて、前記第１変動表示手段および前記第２変動表示手段のうち前記開始条件が成立した変動表示手段において実行される変動表示の変動表示時間を示すデータを前記第１変動表示手段および前記第２変動表示手段のいずれの開始条件が成立したときでも共通の記憶領域（ＲＡＭ５５に設けられた変動表示時間タイマのデータの記憶領域）において記憶する変動表示時間記憶手段（遊技制御用マイクロコンピュータ５６０、ＲＡＭ５５、変動時間タイマ、図２３のＳ７８）とを含む。
【手続補正３】
【補正対象書類名】明細書
【補正対象項目名】０００８
【補正方法】変更
【補正の内容】
【０００８】
（２）  前記第１の実行条件の成立数（第１保留記憶数）を計数する第１計数手段（遊技制御用マイクロコンピュータ５６０、図１９のＳ１１０，Ｓ１１１，Ｓ１１２，Ｓ１１６，Ｓ１１７）と、
前記第２の実行条件の成立数（第２保留記憶数）を計数する第２計数手段（遊技制御用マイクロコンピュータ５６０、図１９のＳ１１３，Ｓ１１４，Ｓ１１５，Ｓ１１６，Ｓ１１７）とをさらに含み、
前記変動パターン選択手段は、前記第１計数手段によって計数された成立数と前記第２計数手段によって計数された成立数との合計数（合算保留記憶数カウンタの値）が所定数（たとえば、４）以上のときに、当該合計数が所定数未満であるときに比べて変動表示時間が短い変動パターンを選択する（図２３のＳ７２，Ｓ７３、短縮変動パターンテーブルから変動パターンを選択する）。
【手続補正４】
【補正対象書類名】明細書
【補正対象項目名】００１２
【補正方法】変更
【補正の内容】
【００１２】
（４）  前記第１の実行条件の成立数（第１保留記憶数）を計数する第１計数手段（遊技制御用マイクロコンピュータ５６０、図１９のＳ１１０，Ｓ１１１，Ｓ１１２，Ｓ１１６，Ｓ１１７）と、
前記第２の実行条件の成立数（第２保留記憶数）を計数する第２計数手段（遊技制御用マイクロコンピュータ５６０、図１９のＳ１１３，Ｓ１１４，Ｓ１１５，Ｓ１１６，Ｓ１１７）と、
遊技の進行を制御するとともに、前記第１変動表示手段および前記第２変動表示手段における変動表示を制御する遊技制御手段（遊技制御用マイクロコンピュータ５６０）と、
前記遊技機に設けられている演出用部品（演出表示装置９等）の制御を行なう演出制御手段（演出制御用マイクロコンピュータ１００）とをさらに含み、
前記演出用部品は、前記第１計数手段によって計数された成立数を第１の態様（赤色の丸印）で表示し、前記第２計数手段によって計数された成立数を第２の態様（緑色の丸印の）で表示する（図３４の第１保留記憶と第２保留記憶とを区別可能な丸印を表示する）実行条件成立数表示手段（合算保留記憶表示部１８ｃ）を含み、
前記遊技制御手段は、
前記第１計数手段によって計数される成立数または前記第２計数手段によって計数される成立数が増加したことに基づいて、いずれの成立数が増加したのかを示す成立数識別コマンド（第１始動入賞指定コマンド、第２始動入賞指定コマンド）を送信するともに、前記第１計数手段によって計数された成立数と前記第２計数手段によって計数された成立数との合計数を特定可能な合計数特定コマンド（合算保留記憶数指定コマンド）を送信する成立数増加時コマンド送信手段（図１９のＳ１２８，Ｓ１２９、図１６のＳ３６１〜Ｓ３６４，Ｓ３６５〜Ｓ３６８）と、
前記遊技機へ供給される電力が遮断された後、当該電力の供給が復旧されたときに、前記合計数特定コマンド（合算保留記憶数指定コマンド）を送信する電力供給復旧時コマンド送信手段（図４のＳ９３、図１６のＳ３５６，Ｓ３６０）とをさらに含み、
前記演出制御手段は、
前記成立数増加時コマンド送信手段により送信された前記成立数識別コマンドおよび前記合計数特定コマンドを受信したときには、前記実行条件成立数表示手段において、前記合計数を認識可能に、前記第１計数手段によって計数された成立数を前記第１の態様で表示させ、前記第２計数手段によって計数された成立数を前記第２の態様で表示させる（図３４（Ａ），（Ｂ））制御を行ない（図４６のＳ９１１、図４７のＳ９２３）、
前記電力供給復旧時コマンド送信手段により送信された前記合計数特定コマンドを受信したときには、前記実行条件成立数表示手段において、前記第１の態様および前記第２の態様とは異なる特別態様で、前記合計数のみを認識可能に表示（星印で表示）させる（図３４（Ｃ））制御を行なう（図３１のＳ６６２，Ｓ６６３、図４６のＳ９０１，Ｓ９０２，Ｓ９０４）。
【手続補正５】
【補正対象書類名】明細書
【補正対象項目名】００１４
【補正方法】変更
【補正の内容】
【００１４】
（５）  前記演出用部品は、前記第１変動表示手段における第１の変動表示または前記第２変動表示手段における第２の変動表示に対応する演出表示を行なう演出表示装置（演出表示装置９）をさらに含み、
前記遊技制御手段は、前記変動表示を開始するときに、前記第１変動表示手段と前記第２変動表示手段とのうちいずれで識別情報の変動表示を開始するのかを特定可能な変動表示手段特定コマンド（第１図柄変動指定コマンド、第２図柄変動指定コマンド）と、前記変動パターン選択手段により選択された前記変動パターンを特定可能な変動パターンコマンド（変動パターンコマンド）とを送信する変動開始時コマンド送信手段（図２３のＳ７６、図１７のＳ３７４〜Ｓ３７７）をさらに含み、
前記演出制御手段は、前記変動開始時コマンド送信手段により送信された前記変動表示手段特定コマンドに基づいて、前記演出表示装置において、前記変動表示手段特定コマンドで特定される前記第１変動表示手段または前記第２変動表示手段に対応した演出表示を実行させる演出表示制御手段（図３９のＳ８３１〜Ｓ８４６等）をさらに含み、
前記演出制御手段は、前記成立数増加時コマンド送信手段により送信された前記成立数識別コマンドを受信せずに前記合計数特定コマンドを受信したときに、前記第１の態様および前記第２の態様とは異なる所定の態様（青色の丸印）で、前記実行条件成立数表示手段において前記成立数を表示させる（図３４（Ｄ））制御を行なう（図４７のＳ９３１）。
【手続補正６】
【補正対象書類名】明細書
【補正対象項目名】００１５
【補正方法】変更
【補正の内容】
【００１５】
このような構成によれば、識別情報の変動表示を開始するときに、第１変動表示手段と第２変動表示手段とのうちいずれで識別情報の変動表示を開始するのかを変動表示手段特定コマンドにより特定可能である。これにより、変動パターンコマンドを、第１変動表示手段での第１の変動表示と、第２変動表示手段での第２の変動表示とで共通に使用することができる。このように、識別情報の変動表示を開始するときに使用するコマンドを第１変動表示手段での第１の変動表示と第２変動表示手段での第２の変動表示とで共通化できることにより、演出表示装置が、変動表示手段特定コマンドで特定される変動表示手段に対応した演出表示を開始する場合に、遊技制御手段から送信されるコマンドの種類を削減することができ、遊技制御手段の制御負担を軽減することができる。また、演出制御手段が、成立数識別コマンドを受信せずに合計数特定コマンドを受信したときに、第１の態様および第２の態様とは異なる所定の態様で、実行条件成立数表示手段において成立数が表示させられるので、その表示に基づいて、成立数識別コマンドの通信の異常状態を容易に知ることできるようになる。